【手続補正書】
【提出日】平成17年7月27日(2005.7.27)
【手続補正１】
【補正対象書類名】明細書
【補正対象項目名】特許請求の範囲
【補正方法】変更
【補正の内容】
【特許請求の範囲】
【請求項１】  各々が、非電力供給型ＲＦＩＤタグＩＣと関連又は付随する遊戯物体アンテナとを有する複数の遊戯物体と、
少なくとも１つの関連又は付随するマスタアンテナとともに、予めプログラムされたマイクロコントローラとＲＦＩＤリーダ／インタラゲータ回路とを含む電力供給型マスタユニットと
で構成された玩具又はゲーム遊戯装置であって、
前記各タグＩＣが、少なくとも特定の情報を含むデータを有しており、この特定の情報は前記各物体について異なり、
前記マスタユニット及び前記遊戯物体が、両者間の対話型遊戯に適合した形態を有し、
少なくとも１つの選択されたある前記遊戯物体の前記アンテナが前記マスタアンテナに対して局在化された検知領域に位置付けられるとき、前記マスタユニット回路と前記選択された遊戯物体のタグＩＣとの間のＲＦ通信を可能にし、前記マスタユニットとその遊戯物体との間の物理的接触を必要とすることなく、前記マスタユニットは、そのタグＩＣに、前記マスタユニットに少なくともその特定の情報データを返送させるためにそのタグＩＣを活性化して電力を送るように作動可能であり、前記マスタアンテナは、前記ＲＦＩＤタグＩＣ及びそれらの関連するアンテナの共振作動振動数に同調され、また、前記マスタユニットは、その送信されたデータを認識しそして玩具又はゲームの使用者に対してその送信されたデータに起因する提示をするように作動可能であり、玩具又ゲームの使用者による前記対話型遊戯が、マスタユニットの前記提示によりサポート（又は助言）される、玩具又はゲーム遊戯装置。
【請求項２】  複数の遊戯物体が、マスタユニットアンテナの１つに対する検知領域の１つに概ね同時に位置するとき、前記マスタユニットが、前記遊戯物体のタグＩＣを順次活性化でき、活性化された場合に、前記遊戯物体の各々に、少なくともいくつかのその特定の情報データを前記マスタユニットに返送させる、請求項１記載の玩具又はゲーム遊戯装置。
【請求項３】  提示が、タグＩＣから送信された少なくともいくつかのデータの少なくとも一部で構成されている、請求項１記載の玩具及びゲーム遊戯装置。
【請求項４】  マスタユニットが、蓄積又は格納されたデータを有し、及び提示が、マスタユニット上に蓄積又は格納された少なくともいくつかの前記データの少なくとも一部で構成されている、請求項１記載の玩具及びゲーム遊戯装置。
【請求項５】  マスタユニットが、タグＩＣからのデータに起因する提示を使用者に対して視覚様式でするための視覚ディスプレイをも備える、請求項１記載の玩具及びゲーム遊戯装置。
【請求項６】  マスタユニットが、タグＩＣからのデータに起因する提示を使用者に対して可聴様式でするための音声提示ユニットをも備える、請求項１記載の玩具及びゲーム遊戯装置。
【請求項７】  音声提示ユニットが、増幅器とスピーカとを備える、請求項６記載の玩具及びゲーム遊戯装置。
【請求項８】  音声提示ユニットが、声合成器をも備える、請求項７記載の玩具及びゲーム遊戯装置。
【請求項９】  タグＩＣの各々が、書き込み可能メモリを備え、及びマスタＲＦＩＤユニットが、前記タグメモリに新たなデータを書くように作動可能である、請求項１記載の玩具装置。
【請求項１０】  タグＩＣの各々が、書き換え可能メモリを備え、及びマスタユニットが、前記タグメモリのデータを変更できる、請求項１記載の玩具装置。
【請求項１１】  マスタユニットが、前記マスタユニットに対する１以上の遊戯物体の位置付けに関して使用者への指図を提示し、その位置付けられた遊戯物体が正しく位置付けられているか否かを、その位置付けられた遊戯物体によって返送されたデータに基づいて決定し、そして前記決定の結果を前記提示の中に含むように作動可能である、請求項１記載の玩具又はゲーム遊戯装置。
【請求項１２】  マスタユニットが、物理的に間隔を介する複数のマスタアンテナを含み、前記マスタアンテナは、遊戯物体アンテナのいくつが各マスタアンテナの検知領域にあるかを前記マスタユニットが認識可能にするように、前記マスタユニットによって迅速に順次作動可能であり、前記マスタユニットが、その認識に作用するように作動可能である、請求項１記載の玩具装置。
【請求項１３】  マスタユニットが、１以上のマスタアンテナに対する１以上の遊戯物体の位置付けに関して使用者に説明を提示し、位置付けられた遊戯物体によって送信されたデータに基づいて前記各マスタアンテナに対する遊戯物体の得られた位置付けを認識し、そして前記使用者に対する提示の中にそのような位置付けの結果を含ませるように作動可能である、請求項１２記載の玩具及びゲーム遊戯装置。
【請求項１４】  遊戯物体の各々が、他の遊戯物体と異なる視覚的しるしを含み、前記視覚的しるしの各々は、関連する遊戯物体上の特定のデータと相関する、請求項１記載の玩具又はゲーム遊戯装置。
【請求項１５】  （１）各々非電力供給型ＲＦＩＤタグＩＣと関連する遊戯物体アンテナとを有する複数の遊戯物体であって、前記各タグＩＣが、少なくとも特定の情報を含むデータを有し、この特定の情報が、各遊戯物体において異なる、複数の遊戯物体を用意すること、
（２）少なくとも１つの関連するマスタアンテナとともに、予めプログラムされたマイクロコントローラとＲＦＩＤリーダ／インタラゲータ回路とを含む電力供給型マスタユニットであって、前記マスタユニット及び前記遊戯物体が、両者間の対話型遊戯に適合した形態を有し、前記遊戯物体の選択されたある遊戯物体アンテナが前記マスタアンテナに対して局在化された検知領域に位置付けられるとき、前記マスタユニット回路とその選択された遊戯物体のタグＩＣとの間のＲＦ通信を可能にし、前記マスタユニットとその遊戯物体との間の物理的接触を必要とすることなく、前記マスタユニットは、そのタグＩＣに、前記マスタユニットに少なくともその特定の情報データを返送させるためにそのタグＩＣを活性化して電力を送るように作動可能であり、前記マスタアンテナは、前記ＲＦＩＤタグＩＣ及びそれらの関連するアンテナの共振作動振動数に同調され、前記マスタユニットが、その送信されたデータを認識し、そして使用者に対してその送信されたデータに起因する提示をするように作動可能であり、そして玩具又ゲームの使用者による前記対話型遊戯が、マスタユニットの前記提示によりサポート（又は助言）される、電力供給型マスタユニットを用意すること、
（３）少なくとも１つの遊戯物体を、その遊戯物体アンテナが前記マスタアンテナに対する検知領域にあるように配置すること、
（４）前記マスタユニットが、位置付けられたその前記遊戯物体に電力を送りその遊戯物体を活性化することにより、前記遊戯物体がデータを前記マスタユニットに返送すること、そして
（５）前記マスタユニットが、使用者に対してその遊戯物体からの送信データに起因する提示をすること、を包含する遊戯方法。
【請求項１６】  さらに、マスタユニットが、使用者に、１以上の遊戯物体を用いてある特定の作用又は動作を行うように指示し、そして前記使用者によって行われた作用又は動作が適切か又は不適切かを提示して使用者に助言することを包含する、請求項１５記載の遊戯方法。
【請求項１７】  タグＩＣの各々が、書き込み可能なメモリを備える遊戯方法であって、前記方法が、さらに、マスタユニットに遊戯物体タグＩＣのメモリ上に新たなデータを書き込ませる工程を包含する、請求項１５記載の遊戯方法。
【請求項１８】  タグＩＣの各々が、書き換え可能なメモリを備え、前記方法が、さらに、マスタユニットが遊戯物体タグＩＣのメモリのデータを変更又は訂正する工程を包含する、請求項１５記載の遊戯方法。
【請求項１９】  複数の遊戯物体との対話型使用のために設計及び配置された人形フィギュア（形態）であって、前記遊戯物体の各々が、非電力供給型ＲＦＩＤタグＩＣと関連する遊戯物体アンテナとを有し、前記タグＩＣの各々が、少なくとも特定の情報を含むデータを有しており、この特定の情報は前記各遊戯物体について異なる、人形フィギュアを備える玩具又はゲーム遊戯装置であって、
前記人形フィギュアが複数の肢を有し、前記人形フィギュアが、電力供給型マスタユニットと作動可能に関連し、このマスタユニットが、複数の関連するマスタアンテナとともに、予めプログラムされたマイクロコントローラとＲＦＩＤリーダ／インタラゲータ回路とを含み、前記マスタアンテナの少なくとも１つが、前記人形フィギュアの肢の１つにあり、
前記遊戯物体のうちの選択されたある遊戯物体の遊戯物体アンテナが、前記マスタアンテナの１つに対して局在化された検知領域にあるとき、前記マスタユニット回路とその選択された遊戯物体のタグＩＣとの間のＲＦ通信を可能にし、前記マスタユニットとその遊戯物体との間の物理的接触を必要とすることなく、前記マスタユニットは、そのタグＩＣに、前記マスタユニットに少なくともいくつかのその特定の情報データを返送させるためにそのタグＩＣを活性化して電力を送るように作動可能であり、前記マスタユニットがまた、その送信されたデータを認識し、そして玩具又はゲーム遊戯装置の使用者に対してその送信されたデータに起因する提示をするように作動可能であり、前記マスタユニットが、一時に前記マスタアンテナの１つを連続的に活性化するように作動可能であり、そして前記マスタユニットが、前記遊戯物体アンテナのうちのいくつが各マスタアンテナの検知領域にあるかを認識し、そしてそれによって使用者に対する提示を制御するように作動可能である、玩具又はゲーム遊戯装置。
【請求項２０】  マスタユニットが、使用者に対して玩具フィギュアに対する１以上の遊戯物体の位置付けるように指示し、各遊戯物体が指示されたように位置付けられているか否かを、位置付けられた遊戯物体によって送信されたデータに基づいて決定し、そして前記使用者に対する提示の中にその決定の結果を含むように作動可能である、請求項１９記載の玩具又はゲーム遊戯装置。
【請求項２１】  複数のマスタアンテナの各々が、人形の肢の１つに配置されている、請求項１９記載の玩具又はゲーム遊戯装置。
【請求項２２】  各々が、非電力供給型ＲＦＩＤタグＩＣと関連する遊戯物体アンテナとを有する複数の遊戯物体であって、前記各タグＩＣが、少なくとも特定の情報を含有するデータを有しており、この特定の情報は、前記各遊戯物体について異なる、複数の遊戯物体と、
前記遊戯物体との対話型使用のための遊戯タブレットと
で構成された玩具又はゲーム遊戯装置であって、
前記遊戯タブレットが、複数の遊戯領域を有する概ね上向きの表面を有し、前記遊戯タブレットが、電力供給型マスタユニットに作動可能に連結され、この電力供給型マスタユニットが、複数の関連するマスタアンテナとともに、予めプログラムされたマイクロコントローラとＲＦＩＤリーダ／インタラゲータ回路とを備え、前記各マスタアンテナが、前記遊戯領域の１つに配置され、
前記遊戯物体の１つが前記遊戯領域の１つに位置付けられて、その結果、その遊戯物体のアンテナがその遊戯領域で前記マスタアンテナの１つに対して局在化された検知領域にあるとき、前記マスタユニット回路とその遊戯物体のタグＩＣとの間のＲＦ通信を可能にし、前記マスタユニットは、そのタグＩＣに、前記マスタユニットに少なくともいくつかのその特定の情報データを返送させるためにそのタグＩＣを活性化して電力を送るように作動可能であり、前記マスタユニットはまた、その送信されたデータを認識し、そして玩具又はゲーム遊戯装置の使用者に対してその送信されたデータに起因する提示をするように作動可能であり、
前記マスタユニットが、一時に１つの前記遊戯領域で前記マスタアンテナを連続的に活性化するように作動可能であり、そして
前記マスタユニットが、前記遊戯物体のアンテナのうちのいくつが前記遊戯領域において前記各マスタアンテナの検知領域にあるかを認識し、そしてそれに従って前記使用者に対する提示を制御するように作動可能である、玩具又はゲーム遊戯装置。
【請求項２３】  遊戯物体の各々が、他の遊戯物体と異なる視覚的しるしを含み、前記視覚的しるしの各々は、関連する遊戯物体上の特定のデータと相関する、請求項２２記載の玩具又はゲーム遊戯装置。
【請求項２４】  マスタユニットが、使用者に対して遊戯領域に対する１以上の遊戯物体を位置付けるように指示し、各遊戯物体が指示されたように位置付けられているか否かを、位置付けられた遊戯物体によって送信されたデータに基づいて決定し、そして前記使用者に対する提示の中にその決定の結果を含むように作動可能である、請求項２３記載の玩具又はゲーム遊戯装置。
【請求項２５】  遊戯領域が、概して平坦であり、遊戯領域マスタアンテナの各々が、その関連する遊戯領域に対して概ね平行である、請求項２２記載の玩具又はゲーム遊戯装置。
【請求項２６】  遊戯物体の各々が、遊戯領域上に置くための概ね平坦な底面を有し、そして遊戯物体アンテナの各々が、その遊戯物体の底面と概ね平行である、請求項２５記載の玩具又はゲーム遊戯装置。
【請求項２７】  遊戯物体が三次元であり、その各々が複数の概ね平坦な支持表面を有し、前記各遊戯物体のアンテナが、その遊戯物体内でその遊戯物体の支持表面に対して斜めに配設されており、それによって、前記遊戯物体のアンテナが、その遊戯物体の支持表面がその遊戯領域上に置かれるかに拘わらず、その遊戯物体が配設される、関連する遊戯領域においてマスタアンテナと効果的に連結できる、請求項２５記載の玩具又はゲーム遊戯装置。
【請求項２８】  使用者によって観察される少なくとも１つの可変性特性を有する少なくとも１つの遊戯物体と、
予めプログラムされたマイクロコントローラと、ＲＦＩＤリーダ／インタラゲータ回路と、関連するホストアンテナとを含有する電力供給型ホストユニットと
で構成された玩具又はゲーム遊戯装置であって、
前記物体が、非電力供給型ＲＦＩＤタグＩＣと関連する遊戯物体アンテナとを有し、前記タグＩＣが、前記可変性特性に対するデータを含有する書き換え可能なメモリを含み、
前記遊戯物体のうち１つの遊戯物体アンテナが、前記ホストアンテナに対して局在化された検知領域において位置付けられるとき、前記ホストユニット回路とその遊戯物体のタグＩＣとの間のＲＦ通信を可能にし、前記ホストユニットとその遊戯物体との間の物理的接触を必要とすることなく、前記ホストユニットは、そのタグＩＣに、前記可変性特性を前記ホストユニットにデータを返送させるために前記タグＩＣを活性化して電力を送るように作動可能であり、前記ホストユニットが、その送信されたデータを認識し、そして前記使用者に対してその送信されたデータに起因する前記可変性特性に関する提示をし、そしてその遊戯物体の書き換え可能なメモリにおいてその遊戯物体の可変性特性に関するデータを変更するように作動可能である、玩具又はゲーム遊戯装置。
【請求項２９】  さらに、第２の予めプログラムされたマイクロコントローラと、第２のＲＦＩＤリーダ／インタラゲータ回路と、関連する第２のホストアンテナとを含む第２のホストユニットを備える玩具又はゲーム遊戯装置であって、遊戯物体のうちの１つの遊戯物体アンテナが、前記第２のホストアンテナに対する局在化された検知領域において位置付けられるとき、前記第２のホストユニット回路とその遊戯物体のタグＩＣとの間のＲＦ通信を可能にし、前記第２のホストユニットとその遊戯物体との間の物理的接触を必要とすることなく、前記第２のホストユニットは、前記タグＩＣに、可変性特性に関して前記第２のホストユニットにデータを返送させるために前記タグＩＣを活性化して電力を送るように作動可能であり、前記第２のホストユニットが、その送信されたデータを認識し、そしてその遊戯物体の書き換え可能なメモリにおいてその遊戯物体の可変性特性に関するデータを変更するように作動可能である、請求項２８記載の玩具又はゲーム遊戯装置。
【請求項３０】  可変性特性が、量的な性状を有し、第１のホストユニットが、その選択された遊戯物体の特性の量を漸次に減少するように作動可能であり、そして第２のホストユニットが、その選択された遊戯物体の特性の量を補充するように作動可能である、請求項２９記載の玩具又はゲーム遊戯装置。
【請求項３１】  遊戯物体が容器を表し、可変性特性が、前記容器中の遊戯物質の量である、請求項２９記載の玩具又はゲーム遊戯装置。
【請求項３２】  ＲＦＩＤタグＩＣと関連するアンテナと読み出し／書き込み可能メモリとを有する少なくとも１つの遊戯物体と、
マイクロプロセッサとＲＦＩＤアンテナとを含み、前記メモリから読み取り、前記メモリに新たなデータを書くように作動可能であるマスタ遊戯ユニットと、
前記マスタ遊戯ユニットと前記遊戯物体との間で、前記マスタアンテナが、前記ＲＦＩＤタグＩＣ及びそれらの関連するアンテナの共振作動振動数に同調される双方向ＲＦ送信のために少なくとも前記マスタ遊戯ユニットにおいて、前記遊戯物体と前記マスタ遊戯ユニットとの間の対話型遊戯においてゲームをすること又は玩具と共に遊ぶことを実行するように作られたプログラムと
で構成された、前記マスタ遊戯ユニット及び前記遊戯物体が、両者間の対話型遊戯に適合した形態を有する、玩具又はゲーム遊戯装置。
【請求項３３】  遊戯物体が複数あり、前記遊戯物体の各々が、他の遊戯物体と異なる特定のデータを含むメモリを有する、請求項３２記載の玩具又はゲーム遊戯装置。
【請求項３４】  プログラミングにより、特定のデータの少なくともいくつかをマスタ遊戯ユニットに返送し、その送信されたデータを前記遊戯物体の各々から認識し、それに対する反応を示す、請求項３２記載の玩具又はゲーム遊戯装置。
【請求項３５】  遊戯物体が特定のデータを有する、玩具又はゲーム遊戯装置であって、プログラミングにより、特定のデータの少なくともいくつかをマスタ遊戯ユニットに返送し、その送信されたデータを前記遊戯物体から認識し、そして前記装置の使用者に対してその送信されたデータに起因する提示を提供する、請求項３２記載の玩具又はゲーム遊戯装置。
【請求項３６】  プログラミングにより、送信されたデータの少なくともいくつかが提示に含まれるようにする、請求項３５記載の玩具又はゲーム遊戯装置。
【請求項３７】  遊戯物体の各々が、他の遊戯物体と異なる視覚的しるしを含有し、前記視覚的しるしの各々は、関連する遊戯物体上の特定のデータと相関する、請求項３３記載の玩具又はゲーム遊戯装置。
【手続補正２】
【補正対象書類名】明細書
【補正対象項目名】００１８
【補正方法】変更
【補正の内容】
【００１８】
図１Ａ及び１Ｂを参照すると、それぞれ少女人形１及び赤ちゃん人形２が示されており、各人形は、マスタ／ホスト／サーバ玩具又はゲームユニット３の形式又は形態で「エンジン（engine）」を備えることができる。これらの人形の胸部空洞に装着されたマスタ／ホスト／サーバ玩具又はゲームユニット３の内部に配置したインテグラルアンテナ（集積アンテナ）５に加えて、別のアンテナ５ａを、このマスタ／ホスト／サーバ玩具又はゲームユニット３に連結し、これらの人形１及び２の頭部内に装着できる。人形１には、片手に追加アンテナ５ｂと、片足に追加アンテナ５ｃとが追加されて示されている。各人形１及び２は、カードの形態である物体８と相互作用することが示される。
【手続補正３】
【補正対象書類名】明細書
【補正対象項目名】００２８
【補正方法】変更
【補正の内容】
【００２８】
マジックタブレット１０１は、前述の人形と同様の「エンジン（engine）」３を有する。この制御プログラムは、多くの様々なモードにおいて作動してもよい。
【手続補正４】
【補正対象書類名】明細書
【補正対象項目名】００４３
【補正方法】変更
【補正の内容】
【００４３】
また、上記マイクロコントローラ３１３は、回路網を含み、マスタユニット上の一般的な多重化ＬＣＤ英数字表示画面３１４の区分及び層を駆動し、それにより、情報を視覚的に表示してもよい。マスタデバイス３０３に対する電力は、電池３２５によって提供されてもよい。